(57)【要約】【課題】比較的簡単、ローコストな構成でありながら操作性の向上と省スペース化との両立を図ることができる。【解決手段】デジタルカメラ１０は、撮影レンズ１３を覆い隠す閉位置と露呈させる第１開位置，第２開位置の間でスライド移動自在のレンズバリア１２を備える。レンズバリア１２には、加速度センサ１８が組み込まれている。レンズバリア１２が閉位置から第１開位置に移動すると、電源スイッチ１７がオンになる。レンズバリア１２を第１開位置から第２開位置に移動すると、加速度センサ１８によりレンズバリア１２の移動に伴う加速度が計測される。この加速度が、所定の閾値以上の場合、簡易メニューが、閾値未満の場合、詳細メニューが、それぞれＬＣＤに表示される。【選択図】図３
2010166327.tif 000002
【特許請求の範囲】
【請求項１】
装置本体に設けられた撮影レンズを覆い隠す閉位置と少なくとも前記撮影レンズを露呈して撮影が許容される第１開位置との間で、前記装置本体に対してスライド移動自在に設けられたレンズバリアを備えた撮影装置において、
前記レンズバリアを閉位置から第１開位置にスライド移動することによりオンされる電源スイッチと、
前記電源スイッチがオンされた後、前記レンズバリアを第１開位置と異なる第２開位置と第１開位置との間を移動する際の速度情報を取得する速度情報取得部と、
前記速度情報に応じて、所定の処理を実行する制御部と
を設けたことを特徴とする撮影装置。
【請求項２】
前記制御部は、前記レンズバリアを第１開位置から第２開位置に移動する際の速度情報を所定の第１閾値と比較し、この比較結果に応じて、前記レンズバリアが第２開位置にある状態で、少なくとも各種の設定項目を表示する表示部に、使用頻度の高い限られた数の設定項目のみを表示する簡易メニュー、この簡易メニューよりも多くの数の設定項目を表示する詳細メニューのうちいずれか一方を選択して表示する
ことを特徴とする請求項１記載の撮影装置。
【請求項３】
前記制御部は、前記レンズバリアを第１開位置から第２開位置に移動させる際の速度情報を所定の第２閾値と比較し、この比較結果に応じて、前記レンズバリアが第２開位置にある状態で、撮影を行なうために押圧操作されるシャッタボタンの１回の押圧操作が行われている間に複数枚の撮影が連続して行なわれる連写モード、前記シャッタボタンの１回の押圧操作で１枚のみの撮影が行なわれる単写モードのうちいずれか一方を選択する
ことを特徴とする請求項１記載の撮影装置。
【請求項４】
前記撮影レンズは、その焦点距離が変更自在なズームレンズであり、
前記第１開位置をニュートラル位置として第２開位置と相対する第３開位置を設け、前記レンズバリアを第１開位置から第２開位置へ移動することにより前記撮影レンズの焦点距離を望遠側へ変更し、第１開位置から第３開位置へ移動することにより前記撮影レンズの焦点距離を広角側へ変更する変倍駆動部を設け、
前記速度情報取得部は、前記レンズバリアを第１開位置と第２開位置との間を移動する際の速度情報を取得するとともに、前記レンズバリアを第１開位置と第３開位置との間を移動する際の速度情報を取得し、
前記制御部は、前記各速度情報に応じて、前記変倍駆動部による撮影レンズの焦点距離の変更速度を変更する
ことを特徴とする請求項１記載の撮影装置。
【請求項５】
前記装置本体は、表面側に少なくとも受話スピーカ及び表示部が設けられ、背面側に撮影レンズを備えた受話ユニットであるとともに、前記レンズバリアは、前記装置本体の背面側にスライド移動自在に取り付けられ、少なくとも送話マイクが組み込まれた送話ユニットであることを特徴とする請求項２記載の撮影装置。
【発明の詳細な説明】
【技術分野】
【０００１】
本発明は、撮影装置に関し、更に詳しくはデジタルカメラや携帯電話やＰＤＡ等の撮影機能を有する撮影装置に関するものである。
【背景技術】
【０００２】
近年、デジタルカメラをはじめ、携帯電話、ＰＤＡ（Personal Digital Assistant：携帯情報端末）やゲーム機等の撮影機能を有する撮影装置が普及している。これらの撮影装置は、共通して液晶等の平面状の表示パネルを備えており、再生画像や各種の設定画面の表示を見やすくする等の理由から表示パネルは年々大型化してきている。
【０００３】
一方、撮影装置の多機能化は著しく、表示パネルに表示すべき設定項目は増すばかりである。更に、撮影装置の小型化への要望もある。このような多機能化，小型化，表示パネルの大型化という相反する要素を全て満足させるため、各種の設定を行なうためのボタンやダイヤル類の取付スペースは、ますます狭くならざるを得ない状況となっており、操作性の悪化が懸念されている。
【０００４】
そこで、従来から撮影装置に設けられている部材に、本来の機能の他に、別の機能を付加する試みが種々提案されている。例えば、特許文献１には、撮影レンズを保護するレンズバリアの開閉により、遠隔操作用の赤外リモートセンサ部及び可視光発光部のオン／オフを行なうカメラが記載されている。
【０００５】
また、特許文献２には、カメラ本体に左右方向の回転を検出する左右回転センサ、上下方向の移動を検出する上下動センサ、前後方向の移動を検出する前後動センサを設け、検出した動きの内容に応じてシャッタ速度や絞り値、ズーム位置の制御を行なうようにしたデジタルカメラが記載されている。
【先行技術文献】
【特許文献】
【０００６】
【特許文献１】特開平０８−０２２０４７号公報
【特許文献２】特開２００６−２１１４５８号公報
【発明の概要】
【発明が解決しようとする課題】
【０００７】
しかしながら、上記特許文献１記載の撮影装置では、遠隔操作用の赤外リモートセンサ部及び可視光発光部のオン／オフという、使用頻度が少なくあまり一般的とは言い難い機能をレンズバリアの開閉に連動させているため、通常の使用上で特に操作性が向上したという実感が得られないという欠点がある。また、上記特許文献２記載のデジタルカメラでは、多数のセンサを用いるとともに、これらから得られるカメラ本体の動き情報を総合的に判断して、瞬時にシャッタ速度や絞り値、ズーム位置の制御を処理する高速で高性能なシステム（ＣＰＵ等のハード及びプログラム等のソフトの両方を含む）が必要となるため、高価格なカメラにならざるを得ないという欠点がある。
【０００８】
本発明は上記問題点に鑑み、比較的簡単、ローコストな構成でありながら、操作性の向上と省スペース化との両立を図った撮影装置を提供することを目的とする。
【課題を解決するための手段】
【０００９】
本発明の撮影装置は、装置本体に設けられた撮影レンズを覆い隠す閉位置と少なくとも前記撮影レンズを露呈して撮影が許容される第１開位置との間で、前記装置本体に対してスライド移動自在に設けられたレンズバリアを備えた撮影装置において、前記レンズバリアを閉位置から第１開位置にスライド移動することによりオンされる電源スイッチと、前記電源スイッチがオンされた後、前記レンズバリアを第１開位置と異なる第２開位置と第１開位置との間を移動する際の速度情報を取得する速度情報取得部と、前記速度情報に応じて、所定の処理を実行する制御部とを設けたことを特徴とする。
【００１０】
前記制御部は、前記レンズバリアを第１開位置から第２開位置に移動する際の速度情報を所定の第１閾値と比較し、この比較結果に応じて、前記レンズバリアが第２開位置にある状態で、少なくとも各種の設定項目を表示する表示部に、使用頻度の高い限られた数の設定項目のみを表示する簡易メニュー、この簡易メニューよりも多くの数の設定項目を表示する詳細メニューのうちいずれか一方を選択して表示することが好ましい。
【００１１】
前記制御部は、前記レンズバリアを第１開位置から第２開位置に移動させる際の速度情報を所定の第２閾値と比較し、この比較結果に応じて、前記レンズバリアが第２開位置にある状態で、撮影を行なうために押圧操作されるシャッタボタンの１回の押圧操作が行われている間に複数枚の撮影が連続して行なわれる連写モード、前記シャッタボタンの１回の押圧操作で１枚のみの撮影が行なわれる単写モードのうちいずれか一方を選択することが好ましい。
【００１２】
前記撮影レンズは、その焦点距離が変更自在なズームレンズであり、前記第１開位置をニュートラル位置として第２開位置と相対する第３開位置を設け、前記レンズバリアを第１開位置から第２開位置へ移動することにより前記撮影レンズの焦点距離を望遠側へ変更し、第１開位置から第３開位置へ移動することにより前記撮影レンズの焦点距離を広角側へ変更する変倍駆動部を設け、前記速度情報取得部は、前記レンズバリアを第１開位置と第２開位置との間を移動する際の速度情報を取得するとともに、前記レンズバリアを第１開位置と第３開位置との間を移動する際の速度情報を取得し、前記制御部は、前記各速度情報に応じて、前記変倍駆動部による撮影レンズの焦点距離の変更速度を変更することが好ましい。
【００１３】
前記装置本体は、表面側に少なくとも受話スピーカ及び表示部が設けられ、背面側に撮影レンズを備えた受話ユニットであるとともに、前記レンズバリアは、前記装置本体の背面側にスライド移動自在に取り付けられ、少なくとも送話マイクが組み込まれた送話ユニットであることが好ましい。
【発明の効果】
【００１４】
本発明の撮影装置によれば、レンズバリアを閉位置から第１開位置にスライド移動して電源スイッチをオンにした後、レンズバリアを第１開位置と第２開位置との間を移動する際の速度情報を取得し、この速度情報に応じて、所定の処理を実行するようにしたので、比較的簡単、ローコストな構成でありながら、操作性の向上と省スペース化との両立を図ることができる。
【図面の簡単な説明】
【００１５】
【図１】本発明の第１実施形態であるデジタルカメラのレンズバリアを閉じた状態を斜め前側から示す斜視図である。
【図２】デジタルカメラのレンズバリアを開いた状態（実線が第１開位置，破線が第２開位置をそれぞれ示す）を斜め前側から示す斜視図である。
【図３】レンズバリアを閉位置（Ａ）から第１開位置（Ｂ）、第２開位置（Ｃ）に移動する様子を示す説明図である。
【図４】デジタルカメラの電気的構成を示すブロック図である。
【図５】デジタルカメラの主なシーケンスを示すフローチャートである。
【図６】簡易メニューを示す説明図である。
【図７】詳細メニューを示す説明図である。
【図８】第２実施形態であるデジタルカメラの主なシーケンスを示すフローチャートである。
【図９】連写モードにセットされた状態を示すデジタルカメラの背面図である。
【図１０】単写モードにセットされた状態を示すデジタルカメラの背面図である。
【図１１】本発明の第３実施形態であるデジタルカメラのレンズバリアを第１開位置（Ａ）から上方の第２開位置（Ｂ）、下方の第３開位置（Ｃ）へ移動させてズーミングする様子を示す説明図である。
【図１２】第３実施形態であるデジタルカメラの主なシーケンスを示すフローチャートである。
【図１３】本発明の第４実施形態であるカメラ付き携帯電話機の閉位置での外観を斜め前側から示す斜視図である。
【図１４】カメラ付き携帯電話機の開位置（実線が第１開位置，破線が第２開位置をそれぞれ示す）での外観を斜め後側から示す斜視図である。
【発明を実施するための形態】
【００１６】
本発明の第１実施形態であるデジタルカメラを示す図１ないし図３において、デジタルカメラ１０は、ほぼ直方体形状をしたカメラ本体１１の前部１１ａに、レンズバリア１２が前部１１ａの長手方向にスライド移動自在に設けられている。レンズバリア１２は、前部１１ａに設けられた撮影レンズ１３及びフラッシュ発光部１４を覆い隠して保護する閉位置（図１及び図３（Ａ））と、撮影レンズ１３及びフラッシュ発光部１４を露呈して撮影可能とする第１開位置（図２及び図３（Ｂ））と、第１開位置よりも閉位置から更に離れた第２開位置（図２の破線及び図３（Ｃ））との各間で移動される。また、カメラ本体１１の上面には、シャッタボタン１５が設けられている。
【００１７】
レンズバリア１２の表面の一部には、レンズバリア１２をスライド操作する際に指掛かりとなる縦方向に細長い把手部１２ａが、レンズバリア１２の表面から隆起したように設けられている。
【００１８】
閉位置のレンズバリア１２に覆われた前部１１ａには、ガイド溝１１ｂが形成されており、レンズバリア１２の背面に形成された一対のボス１２ｂ，１２ｃがガイド溝１１ｂに入り込むことにより、レンズバリア１２が、ガイド溝１１ｂの長手方向に沿って、閉位置，第１開位置，第２開位置の間でスライド移動自在になっている。なお、カメラ本体１１とレンズバリア１２との間には、閉位置，第１開位置，第２開位置の各位置でレンズバリア１２をクリックストップするためのクリックストップ機構が設けられているが、図面が煩雑となるため、図示していない。
【００１９】
レンズバリア１２に覆われた前部１１ａの一部には、電源スイッチ１７が設けられている。レンズバリア１２の背面には、レンズバリア１２が第１開位置から第２開位置までの範囲内にあるときに電源スイッチ１７の可動部が入り込み、電源スイッチ１７をオンにするレンズバリア１２の移動方向に細長い形状をした凹部１２ｄが形成されている。つまり、レンズバリア１２が閉位置から第１開位置に至る前までの範囲内では、電源スイッチ１７はオフであり、レンズバリア１２が第１開位置から第２開位置までの範囲内にあるときには、電源スイッチ１７はオンになる。
【００２０】
把手部１２ａの内部には、加速度センサ１８（速度情報取得部）が組み込まれている。この加速度センサ１８は、レンズバリア１２が第１開位置から第２開位置に移動される際の加速度を測定する。
【００２１】
デジタルカメラ１０の電気的構成を示す図４において、デジタルカメラ１０は、ＣＰＵ３０（制御部）、撮像素子（ＣＣＤ）３１、相関二重サンプリング回路（ＣＤＳ）３２、増幅回路（ＡＭＰ）３３、Ａ／Ｄ変換回路３４、画像入力コントローラ３５、画像信号処理回路３６、圧縮処理回路３７、ＬＣＤドライバ３８、ＬＣＤ３９（図６参照）、タイミングジェネレータ（ＴＧ）４０、モータドライバ４１、撮影レンズ１３の背後に設けられた絞り４２を駆動するアイリスドライバ４３、ＡＦ（自動距離調節）／ＡＥ（自動露光調節）／ＡＷＢ（自動ホワイトバランス調節）処理回路４４、システムメモリ４５、メディアコントローラ４６およびデータバス４７などを備え、これらは図示しない回路基板上に実装されている。また、別の基板上にフラッシュ回路４８が実装されている。
【００２２】
ＣＰＵ３０は、データバス４７を介して各部に制御信号を送信するとともに、接続されたシャッタボタン１５，電源スイッチ１７，加速度センサ１８の他、カメラ本体１１の背面に設けられたズームボタン４９，多機能の十字ボタン５０，メニュー／実行ボタン５１，液晶表示／戻るボタン５２，再生モードボタン５３（図６参照）等からなる操作部材５４からの応答信号を受信して、各部の動作を統括的に制御する。
【００２３】
加速度センサ１８は、カメラ本体１１の前部１１ａと相対的に移動するので、例えば前部１１ａの表面に導電性のレール（図示せず）を敷設しておき、加速度センサ１８に設けた接片をレールと接触するようにし、このレールを介して、加速度センサ１８への電源供給と、加速度センサ１８からＣＰＵ３０への加速度測定信号入力とを行なう。
【００２４】
ＡＦ／ＡＥ／ＡＷＢ処理回路４４は、画像データに基づいて露出演算、焦点位置演算、及びホワイトバランス量演算を行う。自動焦点位置検出をする際には、例えば撮像信号から輝度レベルの高域成分のみを検出して積算し、この積算値を焦点評価値として、ＣＰＵ３０に出力する。また画像データからホワイトバランス量を検出してＣＰＵ３０に出力し、検出結果に基づいて、モータドライバ４１及びＴＧ４０の動作を制御して絞り値及びホワイトバランス量などを最適な値に調節する。
【００２５】
ＡＦ／ＡＥ／ＡＷＢ処理回路４４は、スルー画像の表示中は所定のサイクルで作動している。スルー画像の表示中は、ＡＦ／ＡＥ／ＡＷＢ処理回路４４で決定された値に応じて、モータドライバ４１により撮影レンズ１３が駆動、アイリスドライバ４３により絞り４２が制御される。絞り径のみで適正な露出量にすることができない場合は、ＣＣＤ３１の電荷蓄積時間が制御される。
【００２６】
撮影レンズ１３には、ズームレンズ、フォーカスレンズなどが含まれ、これらの移動は、レンズモータの駆動によって行なわれる。レンズモータはモータドライバ４１に接続されており、モータドライバ４１はＣＰＵ３０に接続されている。ＣＰＵ３０は、モータドライバ４１を制御することで、レンズモータを駆動させる。また、撮影レンズ１３の明るさを調節する絞り４２を制御するアイリスドライバ４３はＣＰＵ３０に接続されている。ズームボタンからの操作信号はＣＰＵ３０に送られ、モータドライバ４１によってレンズモータが駆動し、撮影レンズ１３の焦点距離の変更（ズーミング）が行われる。
【００２７】
ＣＣＤ３１は、撮影レンズ１３によって受光面に結像された被写体像を光電変換して撮像信号を出力する。このＣＣＤ３１は、ＴＧ４０に接続され、ＴＧ４０はＣＰＵ３０に接続されている。そして、ＣＰＵ３０がＴＧ４０を制御することにより、タイミング信号（クロックパルス）を発生させる。ＣＣＤ３１は、このＴＧ４０から入力されるタイミング信号によって駆動する。
【００２８】
ＣＣＤ３１から出力された撮像信号は、ＣＤＳ３２に入力され、ＣＣＤ３１の各セルの蓄積電荷量に正確に対応したＲ、Ｇ、Ｂの画像データとして出力される。ＣＤＳ３２から出力された画像データは、ＡＭＰ３３で増幅され、Ａ／Ｄ変換回路３４でデジタルの画像データに変換される。
【００２９】
画像入力コントローラ３５は、データバス４７を介してＣＰＵ３０に接続され、ＣＰＵ３０の制御命令に応じて、ＣＣＤ３１、ＣＤＳ３２およびＡ／Ｄ変換回路３４を制御する。Ａ／Ｄ変換回路３４から出力された画像データは、システムメモリ４５に一時記録される。システムメモリ４５は、ＲＯＭやＲＡＭなどからなり、デジタルカメラ１０を制御するための各種のプログラムや設定情報などを格納するとともに、ＣＰＵ３０が読み出したプログラムや、取得した各画像データなどを一時的に記憶するバッファとして機能する。
【００３０】
画像信号処理回路３６は、システムメモリ４５から画像データを読み出して、階調変換、γ補正処理などの各種画像処理を施し、この画像データを再度システムメモリ４５に記録する。システムメモリ４５に一時的に格納された画像データは、ＬＣＤドライバ３８でアナログのコンポジット信号に変換され、ＬＣＤ３９にスルー画像として表示される。
【００３１】
圧縮処理回路３７は、画像信号処理回路３６で画像処理を施された画像データに対して、所定の圧縮形式（例えばＪＰＥＧ形式）で画像圧縮を施す。圧縮された画像データは、メディアコントローラ４６を経由してメモリカード５５に記憶される。
【００３２】
このように構成されたデジタルカメラ１０の作用を図５のフローチャートに従って説明する。なお、括弧内のｓｔ（ステップの意）１等は、図面に示すｓｔ１等に対応する。デジタルカメラ１０で撮影を行なおうとする場合、レンズバリア１２を閉位置から第１開位置に移動させる（ｓｔ１）。レンズバリア１２が第１開位置に達すると、電源スイッチ１７がオンされる（ｓｔ２）。
【００３３】
レンズバリア１２を第１開位置から第２開位置側へ移動を開始すると（ｓｔ３）、加速度センサ１８がレンズバリア１２の移動に伴う加速度の測定を開始し（ｓｔ４）、この測定値（速度情報）をＣＰＵ３０に入力する。レンズバリア１２を第１開位置から第２開位置側へ移動せずに、第１開位置から閉位置に移動させると（ｓｔ５）、電源スイッチ１７がオフされる（ｓｔ６）。
【００３４】
レンズバリア１２が第２開位置に達すると（ｓｔ７）、加速度センサ１８による加速度の測定が停止される（ｓｔ８）。ＣＰＵ３０は、レンズバリア１２が第１開位置から第２開位置に移動される間に加速度センサ１８から入力された加速度のうちの最大値と所定の閾値αとを比較する（ｓｔ９）。
【００３５】
ＣＰＵ３０は、加速度が閾値α以上の場合（レンズバリア１２を素早く移動した場合）、図６に示すように、簡易メニュー５７をＬＣＤ３９に表示し（ｓｔ１０）、加速度の最大値が閾値α未満である場合（レンズバリア１２をゆっくりと移動した場合）、図７に示すように、詳細メニュー５８をＬＣＤ３９に表示する（ｓｔ１１）。これにより、操作性を犠牲にすることなく、メニュー表示用の操作部（操作ボタン等）が不要となるから、カメラ本体１１の背面の省スペース化、ＬＣＤ３９の大型化に寄与できる。
【００３６】
簡易メニュー５７は、使用頻度の高い限られた数、例えば３個の設定項目である「画素数」，「セルフ」，「フラッシュ」のみを表示する。また、詳細メニュー５８は、使用頻度に拠らず、全ての設定項目を表示する。この設定項目としては、簡易メニュー５７の各項目の他、例えば「ＩＳＯ感度」，「ピクセル」，「ホワイトバランス」，「露出補正」，「ＡＦ方式」，「測光方式」等がある。なお、詳細メニュー５８で表示される全ての設定項目は、実際にはもっと多いが、図面が煩雑となるので、７個の設定項目のみを表示している。また、一度に表示できる設定項目数を例えば７個とし、スクロールすることにより、全ての設定項目を表示できるようにしてもよい。
【００３７】
簡易メニュー５７又は詳細メニュー５８で各設定項目の設定を終了した後、レンズバリア１２を第２開位置から第１開位置に移動させると（ｓｔ１２）、簡易メニュー５７又は詳細メニュー５８を非表示にする（ｓｔ１３）。
【００３８】
次に、本発明の第２実施形態について説明する。デジタルカメラ６０（図９参照）は、その機械的構成及び電気的構成については、上記第１実施形態と同様であるが、システムメモリ４５のＲＯＭに記憶されているプログラムが異なる。このため、デジタルカメラ６０の機械的構成及び電気的構成についての説明は省略し、図８のフローチャートに従って説明する。なお、上記第１実施形態と同じ部材，同じステップには、同じ符号，同じステップ番号を付し、説明を省略する。
【００３９】
レンズバリア１２が第１開位置から第２開位置に移動される間に加速度センサ１８から入力された加速度のうちの最大値と所定の閾値βとが比較される（ｓｔ２１）。ＣＰＵ３０（図４参照）は、加速度が閾値β以上の場合、撮影モードを連写モードにセットし（ｓｔ２２）、加速度が閾値β未満の場合、撮影モードを単写モードにセットする（ｓｔ２３）。一度セットされた連写モード又は単写モードは、レンズバリア１２を第１開位置に戻しても（ｓｔ１２）そのままのモードが維持され、変更したい場合には、異なる移動加速度で再度、レンズバリア１２を第１開位置から第２開位置に移動させる（ｓｔ３）。
【００４０】
撮影モードが連写モードにセットされると、図９に示すように、ＬＣＤ３９の上方部に文言「連写モード」が表示される。この連写モードでは、シャッタボタン１５の押圧操作を開始し、その１回の押圧操作を止めるまで、例えば３コマ／秒の速さで複数コマが連続撮影され、シャッタボタン１５の押圧操作を止めると、撮影が停止される。
【００４１】
撮影モードが単写モードにセットされると、図１０に示すように、ＬＣＤ３９の上方部に文言「単写モード」が表示される。この単写モードでは、シャッタボタン１５を１回押圧操作する毎に、１コマのみの撮影が行なわれる。撮影で得られた画像データは、メモリカード５５に記憶される。
【００４２】
次に、本発明の第３実施形態について、図１１及び図１２を参照して説明する。なお、上記第１実施形態と同じ部材，同じステップには、同じ符号，同じステップ番号を付し、説明を省略する。デジタルカメラ７０は図１１（Ａ）に示すように、カメラ本体７１の前部７１ａには、前部７１ａの長手方向に細長いガイド溝７２が形成されている。このガイド溝７２には、２個のボス７３ａ，７３ｂを介して、レンズバリア７３が破線で示す閉位置と実線で示す第１開位置との間でスライド移動自在にガイドされている。
【００４３】
ガイド溝７２のレンズバリア７３に覆われた部分には、前部７１ａの長手方向と直交する方向に延びた２個のサブガイド溝７２ａ，７２ｂが平行に形成されており、レンズバリア７３が第１開位置にあるとき、ボス７３ａ，７３ｂがサブガイド溝７２ａ，７２ｂに入り込むことが可能となり、レンズバリア７３に対して上方又は下方に力を加えることにより、レンズバリア７３を上下方向に移動させることができる。なお、トグルバネ等の付勢手段を用いて、レンズバリア７３に上下方向の力を加えるのを止めると、ボス７３ａ，７３ｂがサブガイド溝７２ａ，７２ｂに入り込まないニュートラルな第１開位置に戻るようになっている。
【００４４】
レンズバリア７３を上下方向に移動させることにより、レンズバリア７３の背面から突出形成された突起７３ｃが、前部７１ａに取り付けられたズームスイッチ７５，７６のいずれか一方を押してオンする。例えば、同図（Ｂ）に示すように、レンズバリア７３を上方の第２開位置に向かって移動させると（ｓｔ３１）、突起７３ｃがズームスイッチ７５をオンにして、撮影レンズ１３を望遠側へズーミング（変倍）する。また、同図（Ｃ）に示すように、レンズバリア７３を下方の第３開位置に向かって移動させると（ｓｔ３１）、突起７３ｃがズームスイッチ７６をオンにして、撮影レンズ１３を広角側へズーミングする。
【００４５】
レンズバリア７３の把手部７３ｄの内側には、加速度センサ７８が設けられ、レンズバリア７３を上下方向に移動させるときの加速度を測定し（ｓｔ３２）、ＣＰＵ３０（図４参照）に入力する。ＣＰＵ３０は、加速度の最大値と所定の閾値γとを比較し（ｓｔ３３）、加速度の最大値が閾値γ以上の場合、撮影レンズ１３をズーミングする際の速度を高速（高速度変倍）にする（ｓｔ３４）。
【００４６】
加速度の最大値が閾値γ未満の場合、ズーミングする際の速度を低速（低速度変倍）とする（ｓｔ３５）。すなわち、撮影レンズ１３の変倍速度は、レンズバリア７３の移動速度にほぼ比例する。レンズバリア７３に加える上下方向への力を弱めると、レンズバリア７３はニュートラル位置である第１開位置に移動する（ｓｔ３６）。レンズバリア７３が第１開位置に戻っても、撮影レンズ１３の焦点距離（倍率）は、変倍時のままであるのは勿論である。
【００４７】
以上説明した実施形態では、本発明をデジタルカメラに適用した例であったが、本発明はこれに限定されることなく、例えばスライド式のカメラ付き携帯電話機に適用することもできる。図１３及び図１４に示すように、本発明の第４実施形態であるカメラ付き携帯電話機８０は、表面側に受話スピーカ８１やＬＣＤ８２等が設けられた受話ユニット８３（装置本体に該当）と、この背面側にスライド移動自在に取り付けられ、送話マイク等（図示せず）が組み込まれた送話ユニット８４（レンズバリアに該当）とから構成される。
【００４８】
受話ユニット８３には、カメラモジュール８５が組み込まれ、受話ユニット８３の輪郭と送話ユニット８４の輪郭とがひとつに重なった閉位置（図１３）では、カメラモジュール８５の撮影レンズ８６は送話ユニット８４によって覆い隠されている。受話ユニット８３と送話ユニット８４とを実線で示す第１開位置まで相対的に移動させると、通話やメールが可能となるとともに、撮影レンズ８６が露呈され、カメラモジュール８５による撮影が可能となる。
【００４９】
受話ユニット８３には、加速度センサ８７が組み込まれており、受話ユニット８３が破線で示す第２開位置まで移動する際の加速度を測定する。この加速度の最大値を所定の閾値と比較することにより、例えば、上記第１実施形態と同様に、簡易メニューと詳細メニューとの表示を切り替えることができる。これにより、操作性を犠牲にすることなく、メニュー切換に係る操作部を省略することができ、操作部の省スペース化及びＬＣＤ８２の大型化に寄与できる。なお、簡易メニューでは、例えば「通話モード」，「撮影モード」のいずれか一方を選択する表示を行ない、詳細メニューでは、カメラ付き携帯電話機８０の全設定項目が表示される。
【００５０】
上記実施形態では、速度情報として、「加速度」を取得したが、本発明はこれに限定されることなく、例えば「速度」でもよい。この場合、例えばレンズバリアの閉位置，開位置のそれぞれにスイッチを設けておき、一方のスイッチがオン（又はオフ）してから他方のスイッチがオン（又はオフ）するまでの時間をタイマーで計測することにより、レンズバリアの移動速度を特定することができる。
【００５１】
上記実施形態では、レンズバリアを第１開位置から閉位置に移動する際の速度情報は取得しなかったが、例えば閉位置でのみ電源がオフになるようにして、レンズバリアを第１開位置から閉位置に移動する際の速度情報は取得してもよい。この速度情報を所定の閾値と比較し、この比較結果に応じて、レンズバリアが閉位置に達した状態で、例えば、ＬＣＤに撮影済みの画像を再生する再生モード、電源をオフにする電源オフモードのうちいずれか一方を選択するということもできる。
【符号の説明】
【００５２】
１０，６０，７０  デジタルカメラ
１２，７３  レンズバリア
１３，８６  撮影レンズ
１７  電源スイッチ
１８，７８，８７  加速度センサ
３０  ＣＰＵ
３９，８２  ＬＣＤ
５７  簡易メニュー
５８  詳細メニュー
７５，７６  ズームスイッチ
８０  カメラ付き携帯電話機
８３  受話ユニット
８４  送話ユニット
８５  カメラモジュール
【図１】
2010166327.tif 000003
【図２】
2010166327.tif 000004
【図３】
2010166327.tif 000005
【図４】
2010166327.tif 000006
【図５】
2010166327.tif 000007
【図６】
2010166327.tif 000008
【図７】
2010166327.tif 000009
【図８】
2010166327.tif 000010
【図９】
2010166327.tif 000011
【図１０】
2010166327.tif 000012
【図１１】
2010166327.tif 000013
【図１２】
2010166327.tif 000014
【図１３】
2010166327.tif 000015
【図１４】
2010166327.tif 000016